(57)【要約】【課題】情報処理装置側と携帯端末側とのそれぞれの表示装置を活用でき、より利便性が高い情報処理システムを提供する。【解決手段】画像形成装置１０１と携帯端末２０１とが連携して動作する画像形成システム９０１において、画像形成装置１０１と携帯端末２０１とのどちらが「主」の装置となり、どちらが「従」の装置となるかが自動的に切り替えられる。画像形成装置１０１は、連係管理装置として機能し、画像形成装置１０１に対して行われたユーザによる操作及び携帯端末２０１に対して行われたユーザによる操作のうち少なくともいずれか一方を検出し、検出された内容に応じて、画像形成装置１０１と携帯端末２０１とのうち一方を主の装置とし、他方を従の装置とする。表示パネル１１２，２１２のそれぞれの表示内容は、画像形成装置１０１が主の装置となるか携帯端末２０１が主の装置となるかに応じて切り替えられる。【選択図】図１
2014045418.tif 000002
【特許請求の範囲】
【請求項１】
情報処理装置と、前記情報処理装置と通信可能な携帯端末と、前記情報処理装置及び前記携帯端末のそれぞれと通信可能な連携管理装置とを備え、前記連携管理装置の制御に基づいて前記情報処理装置と前記携帯端末とが連携して動作可能な情報処理システムであって、
前記情報処理装置と前記携帯端末とは、それぞれ、表示装置及び前記表示装置の表示内容を制御する表示制御手段とを有し、
前記連携管理装置は、
前記情報処理装置と前記携帯端末とが連携した状態で、前記情報処理装置に対して行われたユーザによる操作及び前記携帯端末に対して行われたユーザによる操作のうち少なくともいずれか一方を検出する検出手段と、
前記検出手段の検出内容に応じて、前記情報処理装置及び前記携帯端末のうち一方を主の装置とし、他方を従の装置とする判定を行う判定手段とを備え、
前記情報処理装置と前記携帯端末との少なくとも一方の前記表示制御手段は、前記判定手段による判定内容に基づいて、前記表示装置の表示内容を切り替える、情報処理システム。
【請求項２】
前記判定手段は、ユーザによる操作が前記検出手段により検出されたとき、前記情報処理装置及び前記携帯端末のうちその操作が行われた装置を主の装置として判定する、請求項１に記載の情報処理システム。
【請求項３】
前記判定手段により前記主の装置についての判定が行われた後、ユーザによる操作が前記検出手段により検出されたとき、前記判定手段は、前記情報処理装置及び前記携帯端末のうちその操作が行われた装置を主の装置として判定し直す、請求項１又は２に記載の情報処理システム。
【請求項４】
情報送信機能を実行させるためのユーザによる操作が前記検出手段により検出されたとき、
前記情報処理装置及び前記携帯端末のうち前記判定手段により判定された主の装置において、前記主の装置の表示制御手段は、前記主の装置の表示装置に、前記主の装置に予め登録されている送信先情報を表示させ、
前記情報処理装置及び前記携帯端末のうち前記判定手段により主の装置として判定されなかった従の装置において、前記従の装置の表示制御手段は、前記従の装置の表示装置に、前記従の装置に予め登録されている送信先情報であって、前記主の装置に登録されていない送信先情報を表示させ、
前記主の装置は、
前記主の装置の表示装置に表示された送信先情報及び前記従の装置の表示装置に表示された送信先情報についてのユーザによる選択操作を受け付け、
前記受け付けた選択操作に対応する送信先情報に基づいて、前記情報送信機能を実行する、請求項１から３のいずれかに記載の情報処理システム。
【請求項５】
前記主の装置は、
前記従の装置の表示装置に表示された送信先情報についてのユーザによる選択操作を受け付けたとき、受け付けた選択操作に対応する送信先情報のみを前記従の装置から取得し、
取得した送信先情報に基づいて、前記情報送信機能を実行する、請求項４に記載の情報処理システム。
【請求項６】
前記主の装置は、前記従の装置の表示装置に表示された送信先情報についてのユーザによる選択操作を受け付けたとき、さらに、前記従の装置から取得した送信先情報を、前記主の装置に登録する、請求項５に記載の情報処理システム。
【請求項７】
前記連携管理装置は、前記判定手段により前記情報処理装置が主の装置として判定されている場合において、前記主の装置で所定の処理が実行されるとき、前記携帯端末の表示制御手段に、前記検出手段で検出された操作に対応する表示を前記携帯端末の表示装置で表示させる、請求項１から６のいずれかに記載の情報処理システム。
【請求項８】
前記連携管理装置は、前記判定手段により前記情報処理装置が主の装置として判定されている場合において、前記主の装置で所定の処理が実行されるとき、前記情報処理装置における前記所定の処理の優先度又は前記所定の処理が前記情報処理装置に与える負荷の大きさに応じて、前記携帯端末の表示制御手段に、前記検出手段で検出された操作に対応する表示を前記携帯端末の表示装置で表示させる、請求項１から７のいずれかに記載の情報処理システム。
【請求項９】
前記連携管理装置は、前記判定手段により前記情報処理装置が主の装置として判定されている場合において、前記検出手段で検出された操作に対応する表示が前記携帯端末の表示装置で行われているとき、前記ユーザにより行われた操作に基づいて、前記情報処理装置及び前記携帯端末のそれぞれの表示制御手段に、前記検出手段で検出された操作に対応する表示を前記情報処理装置の表示装置で行うように切り替えさせる、請求項７又は８に記載の情報処理システム。
【請求項１０】
前記所定の処理は、ブラウザソフトウェアを用いて行うウェブ閲覧処理と、画像若しくは動画の閲覧処理とのうち少なくともいずれか１つである、請求項７から９のいずれかに記載の情報処理システム。
【請求項１１】
前記携帯端末は、アプリケーションプログラムを実行可能であり、
前記検出手段は、前記携帯端末で前記アプリケーションプログラムを実行させる操作を検出可能であり、
前記判定手段は、前記検出手段で前記アプリケーションプログラムを実行させる操作が検出され、かつ、前記情報処理装置と前記携帯端末とが連携しているとき、前記携帯端末を主の装置として判定する、請求項１から１０のいずれかに記載の情報処理システム。
【請求項１２】
前記情報処理装置と前記携帯端末とが連携している場合において、前記携帯端末が前記アプリケーションプログラムを実行しているとき、
前記携帯端末は、前記アプリケーションプログラムで取り扱っている情報について前記情報処理装置で出力を行う旨の指示を行い、
前記情報処理装置の表示制御手段は、前記携帯端末からの指示に基づいて、出力を行う際に用いる情報を設定するための従画面を前記情報処理装置の表示装置に表示させ、
前記情報処理装置は、前記携帯端末からの指示に応じて、前記従画面を用いて設定された情報に基づいて出力を行う、請求項１１に記載の情報処理システム。
【請求項１３】
前記情報処理装置は、前記出力を行うために前記従画面を用いて設定された情報を前記携帯端末に送信し、
前記携帯端末は、前記情報処理装置から送信された情報を記憶する、請求項１２に記載の情報処理システム。
【請求項１４】
前記情報処理装置は、印刷出力可能であり、
前記携帯端末は、前記情報処理装置で印刷を行う旨の指示を行い、
前記情報処理装置の表示制御手段は、前記従画面として印刷設定画面を前記情報処理装置の表示装置に表示させ、
前記情報処理装置は、前記印刷設定画面を用いて設定された印刷条件に基づいて、印刷を行う、請求項１２又は１３に記載の情報処理システム。
【請求項１５】
前記情報処理装置は、印刷出力可能であり、
前記携帯端末は、前記情報処理装置で画像の印刷を行う旨の指示を行い、
前記情報処理装置の表示制御手段は、前記従画面に印刷対象となる画像のプレビュー表示を行い、
前記情報処理装置は、
前記従画面を表示しながら行われる、前記画像の編集操作を受け付け、
前記携帯端末からの指示に応じて、前記編集操作による編集後の画像について、印刷を行う、請求項１２から１４のいずれかに記載の情報処理システム。
【請求項１６】
前記情報処理装置が前記出力を行う際に用いられる情報が、前記携帯端末で実行されている前記アプリケーションプログラムで予め設定されている場合において、その情報が前記情報処理装置側で設定される情報と競合するときには、前記情報処理装置側で設定される情報が優先される、請求項１２から１５のいずれかに記載の情報処理システム。
【請求項１７】
前記情報処理システムは、複数種類の送信方法で情報送信を実行可能であって、
前記検出手段は、前記情報処理装置又は前記携帯端末に対して行われたユーザによる操作に対応する送信方法の別を検出し、
前記判定手段は、前記検出手段により検出された送信方法に基づいて、前記情報処理装置及び前記携帯端末のうち一方を主の装置とし、他方を従の装置とする判定を行う、請求項１に記載の情報処理システム。
【請求項１８】
前記情報処理装置は、ファクシミリ送信機能を有し、
前記携帯端末は、電子メール送信機能を有し、
前記判定手段は、
前記検出手段によりファクシミリ送信を伴う送信方法に対応するユーザの操作が検出されたとき、前記情報処理装置を主の装置として判定し、
前記検出手段により電子メール送信を伴う送信方法に対応するユーザの操作が検出されたとき、前記携帯端末を主の装置として判定する、請求項１７に記載の情報処理システム。
【請求項１９】
前記判定手段は、前記情報処理装置及び前記携帯端末のうち、前記検出手段により検出された送信方法に対応する送信先情報が多く登録されている装置を主の装置として判定する、請求項１７に記載の情報処理システム。
【請求項２０】
前記携帯端末は、撮像手段をさらに有し、
前記連携管理装置は、前記撮像手段により情報処理装置が撮像されたとき、撮像された情報処理装置と前記携帯端末とを連携させる連携手段をさらに備える、請求項１から１９のいずれかに記載の情報処理システム。
【請求項２１】
前記連携管理装置は、前記情報処理装置と前記携帯端末とのいずれか一方に内蔵されている、請求項１から２０のいずれかに記載の情報処理システム。
【請求項２２】
前記情報処理装置は、印刷機能を有する画像形成装置である、請求項１から２１のいずれかに記載の情報処理システム。
【請求項２３】
請求項１から２２のいずれかに記載の情報処理システムに含まれる連携管理装置。
【請求項２４】
請求項１から２２のいずれかに記載の情報処理システムに含まれる情報処理装置。
【請求項２５】
情報処理装置と、前記情報処理装置と通信可能な携帯端末と、前記情報処理装置及び前記携帯端末のそれぞれと通信可能な連携管理装置とを備え、前記連携管理装置の制御に基づいて前記情報処理装置と前記携帯端末とが連携して動作可能な情報処理システムの制御方法であって、
前記情報処理装置と前記携帯端末とは、それぞれ、表示装置を有し、
前記情報処理システムの制御方法は、
前記情報処理装置と前記携帯端末とが連携した状態で、前記情報処理装置に対して行われたユーザによる操作及び前記携帯端末に対して行われたユーザによる操作のうち少なくともいずれか一方を検出する検出ステップと、
前記検出ステップの検出内容に応じて、前記情報処理装置及び前記携帯端末のうち一方を主の装置とし、他方を従の装置とする判定を行う判定ステップと、
前記情報処理装置と前記携帯端末との少なくとも一方において、前記判定ステップによる判定内容に基づいて、前記表示装置の表示内容を切り替える表示制御ステップとを備える、情報処理システムの制御方法。
【請求項２６】
情報処理装置と、前記情報処理装置と通信可能な携帯端末と、前記情報処理装置及び前記携帯端末のそれぞれと通信可能な連携管理装置とを備え、前記連携管理装置の制御に基づいて前記情報処理装置と前記携帯端末とが連携して動作可能な情報処理システムに含まれるコンピュータに実行させるための制御プログラムであって、
前記情報処理装置と前記携帯端末とは、それぞれ、表示装置を有し、
前記情報処理システムの制御プログラムは、
前記情報処理装置と前記携帯端末とが連携した状態で、前記情報処理装置に対して行われたユーザによる操作及び前記携帯端末に対して行われたユーザによる操作のうち少なくともいずれか一方を検出する検出ステップと、
前記検出ステップの検出内容に応じて、前記情報処理装置及び前記携帯端末のうち一方を主の装置とし、他方を従の装置とする判定を行う判定ステップと、
前記情報処理装置と前記携帯端末との少なくとも一方において、前記判定ステップによる判定内容に基づいて、前記表示装置の表示内容を切り替える表示制御ステップとをコンピュータに実行させる、情報処理システムの制御プログラム。
【発明の詳細な説明】
【技術分野】
【０００１】
この発明は、情報処理システム、連携管理装置、情報処理装置、情報処理システムの制御方法、情報処理システムの制御プログラムに関し、特に、良好な操作性が得られる情報処理システム、連携管理装置、情報処理装置、情報処理システムの制御方法、情報処理システムの制御プログラムに関する。
【背景技術】
【０００２】
近年、携帯端末（携帯情報端末）が高機能化しており、個人がＰＣ（パーソナルコンピュータ）の代わりに携帯端末を所有している。ユーザは、携帯端末を用いることにより、例えば、電子化された文書を、任意の場所で、自由に閲覧及び編集することができる。携帯端末は利便性が高いため、携帯端末は、業務や生活の様々な場面で用いられるようになっている。
【０００３】
携帯端末の高機能化に伴い、情報処理装置と、携帯端末とを備えた情報処理システムが用いられている。情報処理システムでは、情報処理装置と携帯端末とを連携させて、種々の情報処理動作を実行させるものが知られている。情報処理装置としては、例えば、操作パネルを搭載した画像形成装置が挙げられる。画像形成装置と携帯端末とを連携させて、画像形成装置で行う処理に関連する補助的な表示を携帯端末で行ったり、互いに情報を送受したりすることで、情報処理システムの利便性が高くなっている。
【０００４】
下記特許文献１には、画像形成装置本体を携帯通信端末で撮影し、画像形成装置と携帯通信端末とを連携させることで、対象機器の状態に応じた的確なヘルプ情報を入手できるようにしたヘルプ情報提供システムが開示されている。
【先行技術文献】
【特許文献】
【０００５】
【特許文献１】特開２０１０−２１９８７９号公報
【発明の概要】
【発明が解決しようとする課題】
【０００６】
ところで、従来の情報処理システムにおいては、一般的に、情報処理装置側と携帯端末側とのそれぞれの表示パネルを利用できるにもかかわらず、それらを十分には活用できていないという問題があった。例えば、情報処理装置側、携帯端末側のそれぞれで表示内容が固定化されているものがある。また、例えば、携帯端末には、あくまで情報処理装置の補助としての表示が行われるのみのものがある。
【０００７】
この発明はそのような問題点を解決するためになされたものであり、情報処理装置側と携帯端末側とのそれぞれの表示装置を活用でき、より利便性が高い情報処理システム、連携管理装置、情報処理装置、情報処理システムの制御方法、情報処理システムの制御プログラムを提供することを目的としている。
【課題を解決するための手段】
【０００８】
上記目的を達成するためこの発明のある局面に従うと、情報処理装置と、情報処理装置と通信可能な携帯端末と、情報処理装置及び携帯端末のそれぞれと通信可能な連携管理装置とを備え、連携管理装置の制御に基づいて情報処理装置と携帯端末とが連携して動作可能な情報処理システムは、情報処理装置と携帯端末とは、それぞれ、表示装置及び表示装置の表示内容を制御する表示制御手段とを有し、連携管理装置は、情報処理装置と携帯端末とが連携した状態で、情報処理装置に対して行われたユーザによる操作及び携帯端末に対して行われたユーザによる操作のうち少なくともいずれか一方を検出する検出手段と、検出手段の検出内容に応じて、情報処理装置及び携帯端末のうち一方を主の装置とし、他方を従の装置とする判定を行う判定手段とを備え、情報処理装置と携帯端末との少なくとも一方の表示制御手段は、判定手段による判定内容に基づいて、表示装置の表示内容を切り替える。
【０００９】
好ましくは、判定手段は、ユーザによる操作が検出手段により検出されたとき、情報処理装置及び携帯端末のうちその操作が行われた装置を主の装置として判定する。
【００１０】
好ましくは、判定手段により主の装置についての判定が行われた後、ユーザによる操作が検出手段により検出されたとき、判定手段は、情報処理装置及び携帯端末のうちその操作が行われた装置を主の装置として判定し直す。
【００１１】
好ましくは、情報送信機能を実行させるためのユーザによる操作が検出手段により検出されたとき、情報処理装置及び携帯端末のうち判定手段により判定された主の装置において、主の装置の表示制御手段は、主の装置の表示装置に、主の装置に予め登録されている送信先情報を表示させ、情報処理装置及び携帯端末のうち判定手段により主の装置として判定されなかった従の装置において、従の装置の表示制御手段は、従の装置の表示装置に、従の装置に予め登録されている送信先情報であって、主の装置に登録されていない送信先情報を表示させ、主の装置は、主の装置の表示装置に表示された送信先情報及び従の装置の表示装置に表示された送信先情報についてのユーザによる選択操作を受け付け、受け付けた選択操作に対応する送信先情報に基づいて、情報送信機能を実行する。
【００１２】
好ましくは、主の装置は、従の装置の表示装置に表示された送信先情報についてのユーザによる選択操作を受け付けたとき、受け付けた選択操作に対応する送信先情報のみを従の装置から取得し、取得した送信先情報に基づいて、情報送信機能を実行する。
【００１３】
好ましくは、主の装置は、従の装置の表示装置に表示された送信先情報についてのユーザによる選択操作を受け付けたとき、さらに、従の装置から取得した送信先情報を、主の装置に登録する。
【００１４】
好ましくは、連携管理装置は、判定手段により情報処理装置が主の装置として判定されている場合において、主の装置で所定の処理が実行されるとき、携帯端末の表示制御手段に、検出手段で検出された操作に対応する表示を携帯端末の表示装置で表示させる。
【００１５】
好ましくは、連携管理装置は、判定手段により情報処理装置が主の装置として判定されている場合において、主の装置で所定の処理が実行されるとき、情報処理装置における所定の処理の優先度又は所定の処理が情報処理装置に与える負荷の大きさに応じて、携帯端末の表示制御手段に、検出手段で検出された操作に対応する表示を携帯端末の表示装置で表示させる。
【００１６】
好ましくは、連携管理装置は、判定手段により情報処理装置が主の装置として判定されている場合において、検出手段で検出された操作に対応する表示が携帯端末の表示装置で行われているとき、ユーザにより行われた操作に基づいて、情報処理装置及び携帯端末のそれぞれの表示制御手段に、検出手段で検出された操作に対応する表示を情報処理装置の表示装置で行うように切り替えさせる。
【００１７】
好ましくは、所定の処理は、ブラウザソフトウェアを用いて行うウェブ閲覧処理と、画像若しくは動画の閲覧処理とのうち少なくともいずれか１つである。
【００１８】
好ましくは、携帯端末は、アプリケーションプログラムを実行可能であり、検出手段は、携帯端末でアプリケーションプログラムを実行させる操作を検出可能であり、判定手段は、検出手段でアプリケーションプログラムを実行させる操作が検出され、かつ、情報処理装置と携帯端末とが連携しているとき、携帯端末を主の装置として判定する。
【００１９】
好ましくは、情報処理装置と携帯端末とが連携している場合において、携帯端末がアプリケーションプログラムを実行しているとき、携帯端末は、アプリケーションプログラムで取り扱っている情報について情報処理装置で出力を行う旨の指示を行い、情報処理装置の表示制御手段は、携帯端末からの指示に基づいて、出力を行う際に用いる情報を設定するための従画面を情報処理装置の表示装置に表示させ、情報処理装置は、携帯端末からの指示に応じて、従画面を用いて設定された情報に基づいて出力を行う。
【００２０】
好ましくは、情報処理装置は、出力を行うために従画面を用いて設定された情報を携帯端末に送信し、携帯端末は、情報処理装置から送信された情報を記憶する。
【００２１】
好ましくは、情報処理装置は、印刷出力可能であり、携帯端末は、情報処理装置で印刷を行う旨の指示を行い、情報処理装置の表示制御手段は、従画面として印刷設定画面を情報処理装置の表示装置に表示させ、情報処理装置は、印刷設定画面を用いて設定された印刷条件に基づいて、印刷を行う。
【００２２】
好ましくは、情報処理装置は、印刷出力可能であり、携帯端末は、情報処理装置で画像の印刷を行う旨の指示を行い、情報処理装置の表示制御手段は、従画面に印刷対象となる画像のプレビュー表示を行い、情報処理装置は、従画面を表示しながら行われる、画像の編集操作を受け付け、携帯端末からの指示に応じて、編集操作による編集後の画像について、印刷を行う。
【００２３】
好ましくは、情報処理装置が出力を行う際に用いられる情報が、携帯端末で実行されているアプリケーションプログラムで予め設定されている場合において、その情報が情報処理装置側で設定される情報と競合するときには、情報処理装置側で設定される情報が優先される。
【００２４】
好ましくは、情報処理システムは、複数種類の送信方法で情報送信を実行可能であって、検出手段は、情報処理装置又は携帯端末に対して行われたユーザによる操作に対応する送信方法の別を検出し、判定手段は、検出手段により検出された送信方法に基づいて、情報処理装置及び携帯端末のうち一方を主の装置とし、他方を従の装置とする判定を行う。
【００２５】
好ましくは、情報処理装置は、ファクシミリ送信機能を有し、携帯端末は、電子メール送信機能を有し、判定手段は、検出手段によりファクシミリ送信を伴う送信方法に対応するユーザの操作が検出されたとき、情報処理装置を主の装置として判定し、検出手段により電子メール送信を伴う送信方法に対応するユーザの操作が検出されたとき、携帯端末を主の装置として判定する。
【００２６】
好ましくは、判定手段は、情報処理装置及び携帯端末のうち、検出手段により検出された送信方法に対応する送信先情報が多く登録されている装置を主の装置として判定する。
【００２７】
好ましくは、携帯端末は、撮像手段をさらに有し、連携管理装置は、撮像手段により情報処理装置が撮像されたとき、撮像された情報処理装置と携帯端末とを連携させる連携手段をさらに備える。
【００２８】
好ましくは、連携管理装置は、情報処理装置と携帯端末とのいずれか一方に内蔵されている。
【００２９】
好ましくは、情報処理装置は、印刷機能を有する画像形成装置である。
【００３０】
上述のいずれかに記載の情報処理システムに含まれる連携管理装置。
【００３１】
上述のいずれかに記載の情報処理システムに含まれる情報処理装置。
【００３２】
この発明の他の局面に従うと、情報処理装置と、情報処理装置と通信可能な携帯端末と、情報処理装置及び携帯端末のそれぞれと通信可能な連携管理装置とを備え、連携管理装置の制御に基づいて情報処理装置と携帯端末とが連携して動作可能な情報処理システムの制御方法は、情報処理装置と携帯端末とは、それぞれ、表示装置を有し、情報処理システムの制御方法は、情報処理装置と携帯端末とが連携した状態で、情報処理装置に対して行われたユーザによる操作及び携帯端末に対して行われたユーザによる操作のうち少なくともいずれか一方を検出する検出ステップと、検出ステップの検出内容に応じて、情報処理装置及び携帯端末のうち一方を主の装置とし、他方を従の装置とする判定を行う判定ステップと、情報処理装置と携帯端末との少なくとも一方において、判定ステップによる判定内容に基づいて、表示装置の表示内容を切り替える表示制御ステップとを備える。
【００３３】
この発明のさらに他の局面に従うと、情報処理装置と、情報処理装置と通信可能な携帯端末と、情報処理装置及び携帯端末のそれぞれと通信可能な連携管理装置とを備え、連携管理装置の制御に基づいて情報処理装置と携帯端末とが連携して動作可能な情報処理システムに含まれるコンピュータに実行させるための制御プログラムは、情報処理装置と携帯端末とは、それぞれ、表示装置を有し、情報処理システムの制御プログラムは、情報処理装置と携帯端末とが連携した状態で、情報処理装置に対して行われたユーザによる操作及び携帯端末に対して行われたユーザによる操作のうち少なくともいずれか一方を検出する検出ステップと、検出ステップの検出内容に応じて、情報処理装置及び携帯端末のうち一方を主の装置とし、他方を従の装置とする判定を行う判定ステップと、情報処理装置と携帯端末との少なくとも一方において、判定ステップによる判定内容に基づいて、表示装置の表示内容を切り替える表示制御ステップとをコンピュータに実行させる。
【発明の効果】
【００３４】
これらの発明に従うと、情報処理装置と携帯端末とのいずれかに対して行われたユーザによる操作に基づいて、それぞれの装置が主の装置であるか従の装置であるかが判定され、判定結果に基づいて、表示装置の表示内容が切り替えられる。したがって、情報処理装置側と携帯端末側とのそれぞれの表示装置を活用でき、より利便性が高い情報処理システム、連携管理装置、情報処理装置、情報処理システムの制御方法、情報処理システムの制御プログラムを提供することができる。
【図面の簡単な説明】
【００３５】
【図１】本発明の第１の実施の形態における画像形成システムを示すブロック図である。
【図２】画像形成装置を示す斜視図である。
【図３】画像形成システムの各装置の制御ブロックを示すブロック図である。
【図４】第１の実施の形態において連携動作が行われるときの画像形成システムの動作を説明するフローチャートである。
【図５】主従設定処理及び宛先表示処理の動作を説明するフローチャートである。
【図６】図４の処理が完了した場合に行われる処理の一例を示す。
【図７】主従設定処理及び宛先表示処理の動作の一変型例を説明するフローチャートである。
【図８】第２の実施の形態において連携動作が行われるときの画像形成システムの動作を説明するフローチャートである。
【図９】ウェブ接続・表示処理の動作を説明するフローチャートである。
【図１０】主従設定の一例を説明するフローチャートである。
【図１１】本発明の第３の実施の形態において連携動作が行われるときの画像形成システムの動作を説明するフローチャートである。
【図１２】連携時処理の動作の一例を説明するフローチャートである。
【図１３】連携時処理の動作の別の例を説明するフローチャートである。
【発明を実施するための形態】
【００３６】
以下、本発明の実施の形態の一例に係る画像形成システム（情報処理システムの一例）について説明する。
【００３７】
画像形成システムは、画像形成装置（情報処理装置の一例）と携帯端末（携帯情報端末）とで構成されている。
【００３８】
画像形成装置は、スキャナ機能、複写機能、プリンタとしての機能、ファクシミリ機能、データ通信機能、及びサーバ機能を備えたＭＦＰ（Ｍｕｌｔｉ  Ｆｕｎｃｔｉｏｎ  Ｐｅｒｉｐｈｅｒａｌ）である。スキャナ機能は、セットされた原稿の画像を読み取ってそれをＨＤＤ（Ｈａｒｄ  Ｄｉｓｋ  Ｄｒｉｖｅ）等に蓄積する機能である。複写機能は、さらにそれを用紙等に印刷（プリント）する機能である。プリンタとしての機能は、ＰＣ等の外部端末から印刷指示を受けるとその指示に基づいて用紙に印刷を行う機能である。ファクシミリ機能は、外部のファクシミリ装置等からファクシミリデータを受信してそれをＨＤＤ等に蓄積する機能である。データ通信機能は、接続された外部機器との間でデータを送受信する機能である。サーバ機能は、複数のユーザでＨＤＤ等に記憶したデータなどを共有可能にする機能である。
【００３９】
携帯端末は、例えば、データ通信機能、及び情報記憶、閲覧、出力機能など、種々の機能を備えた、タブレット型端末である。データ通信機能は、例えば携帯電話網やその他のネットワークを介して、他の装置との間でデータ通信を行う機能である。データ通信機能は、例えば、無線通信により行うことができる。情報記憶、閲覧、出力機能は、外部装置から送られた情報や、ユーザから入力された情報を記憶したり、記憶した情報を表示器に表示したり、外部装置へ送信したりすることを可能にする機能である。携帯端末は、携帯電話網を介して他の電話機との間で音声通話を行う電話機能をさらに備えた、多機能型携帯電話機であってもよい。
【００４０】
画像形成装置と携帯端末とは、共にネットワークに接続されており、互いにネットワークを介して通信できる。画像形成装置と携帯端末とは、共に、例えばタッチパネルなどの表示装置を有している。画像形成装置と携帯端末とが互いに通信することで、各装置の表示装置に互いに関連する操作用画像などを表示させ、画像形成装置と携帯端末とを連携させて画像形成システムを使用可能である。
【００４１】
本実施の形態において、画像形成装置と携帯端末とのいずれかに対して行われたユーザによる操作に基づいて、それぞれの装置が主の装置であるか従の装置であるかが判定される。そして、各装置において、その装置が主の装置であるか従の装置であるかに応じて、表示装置の表示内容が切り替えられる。これにより、各表示装置に主と従との関係を反映した表示を行った状態で、画像形成装置と携帯端末とを連携させて使用することができるようになる。
【００４２】
［第１の実施の形態］
【００４３】
図１は、本発明の第１の実施の形態における画像形成システムを示すブロック図である。
【００４４】
本実施の形態において、画像形成システム９０１は、画像形成装置１０１と、携帯端末２０１とで構成されている。画像形成システム９０１において、画像形成装置１０１は、画像形成装置１０１と携帯端末２０１とを連携して動作させる連携管理装置としての動作を行う。換言すると、画像形成装置１０１は、画像形成装置１０１と携帯端末２０１とが連携して動作するように制御する連携管理装置を備えている。画像形成システム９０１において、画像形成装置１０１の連携管理装置の制御に基づいて、画像形成装置１０１と携帯端末２０１とが連携して動作可能である。
【００４５】
図１に示されるように、画像形成システム９０１において、画像形成装置１０１と携帯端末２０１とは、ネットワーク８０１を介して互いに通信可能に接続されている。ネットワーク８０１は、例えば、構内情報通信網（ＬＡＮ）である。画像形成装置１０１は、いわゆる有線ＬＡＮ経由でネットワーク８０１に接続されている。他方、携帯端末２０１は、いわゆる無線ＬＡＮ経由でネットワーク８０１に接続されている。すなわち、ネットワーク８０１には、無線ＬＡＮアクセスポイントである接続装置４０１が接続されている。携帯端末２０１は、接続装置４０１に無線接続することで、接続装置４０１を介して、ネットワーク８０１に接続されている。
【００４６】
なお、各装置の接続態様は、これに限られるものではない。例えば、画像形成装置１０１と携帯端末２０１とが、近距離無線通信技術などを利用して機器間相互通信可能に接続されるようにしてもよい。
【００４７】
［画像形成装置１０１の構成］
【００４８】
図２は、画像形成装置１０１を示す斜視図である。
【００４９】
図２に示すように、画像形成装置１０１は、給紙カセット１０３と、排紙トレイ１０５と、操作パネル（検出手段の一例）１１１と、制御部（判定手段の一例）１２１と、画像形成部１３１と、スキャナ部１４１とを備える。制御部１２１は、画像形成装置１０１の動作を制御する。制御部１２１、画像形成部１３１、及びスキャナ部１４１などは、画像形成装置１０１の筐体の内部に配置されている。
【００５０】
この画像形成装置１０１は、３つの給紙カセット１０３（給紙カセット１０３ａ，１０３ｂ，１０３ｃ）を有している。それぞれの給紙カセット１０３には、例えば、互いに異なるサイズの用紙（Ｂ５サイズ、Ａ４サイズ、及びＡ３サイズなど）が装てんされている。給紙カセット１０３は、画像形成装置１０１の下部に、画像形成装置１０１の筐体に抜き差し可能に配置されている。各給紙カセット１０３に装てんされた用紙は、印字時に、１枚ずつ給紙カセット１０３から給紙され、画像形成部１３１に送られる。なお、給紙カセット１０３の数は３つに限られず、それより多くても少なくてもよい。
【００５１】
排紙トレイ１０５は、画像形成装置１０１の筐体のうち画像形成部１３１が収納されている部位の上方でスキャナ部１４１が配置されている部位の下方に配置されている。排紙トレイ１０５には、画像形成部１３１により画像が形成された用紙が筐体の内部から排紙される。
【００５２】
画像形成部１３１は、大まかに、トナー像形成部（図示せず）と、用紙搬送部（図示せず）と、定着装置（図示せず）とを有している。画像形成部１３１は、例えば電子写真方式で用紙に画像を形成する。すなわち、画像形成装置１０１は、印刷出力可能である。
【００５３】
用紙搬送部は、給紙ローラ、搬送ソーラ、及びそれらを駆動するモータなどで構成されている。用紙搬送部は、用紙を給紙カセット１０３から給紙して、画像形成装置１０１の筐体の内部で搬送する。また、用紙搬送部は、画像が形成された用紙を画像形成装置１０１の筐体から排紙トレイ１０５などに排出する。
【００５４】
定着装置は、加熱ローラ及び加圧ローラを有している。定着装置は、加熱ローラと加圧ローラとでトナー像が形成された用紙を挟みながら搬送し、その用紙に加熱及び加圧を行う。これにより、定着装置は、用紙に付着したトナーを溶融させて用紙に定着させ、用紙に画像を形成する。
【００５５】
スキャナ部１４１は、画像形成装置１０１の筐体の上部に配置されている。スキャナ部１４１は、ＡＤＦ（Ａｕｔｏ  Ｄｏｃｕｍｅｎｔ  Ｆｅｅｄｅｒ）１４３を有している。スキャナ部１４１は、上述のスキャナ機能を実行する。スキャナ部１４１は、透明な原稿台に配置された原稿をコンタクトイメージセンサにより走査して、それを画像データとして読み取る。また、スキャナ部１４１は、原稿トレイにセットされた複数の原稿を１枚ずつＡＤＦ１４３により順次取り込みながら、コンタクトイメージセンサにより原稿を読み取り、画像データとする。
【００５６】
スキャナ部１４１により読み取られた画像は、制御部１２１により、仕上がり画像に変換される。制御部１２１は、生成した仕上がり画像を外部装置などに送信したり、仕上がり画像に基づいて画像形成部１３１により用紙に画像を形成したりできる。例えば、制御部１２１は、読み取られた画像を、携帯端末２０１に送り、携帯端末２０１で表示させたりすることができる。
【００５７】
操作パネル１１１は、画像形成装置１０１の上部前面（図２において正面）側に配置されている。操作パネル１１１には、ユーザにより押下操作可能な操作ボタンが配置されている。また、操作パネル１１１には、情報をユーザに表示する表示パネル（表示装置の一例）１１２が配置されている。
【００５８】
表示パネル１１２は、タッチパネルである。表示パネル１１２は、例えば、ＬＣＤ（Ｌｉｑｕｉｄ  Ｃｒｙｓｔａｌ  Ｄｉｓｐｌａｙ）である。表示パネル１１２は、ユーザに案内画面を表示したり、操作ボタンを表示してユーザからのタッチ操作を受け付けたりする。表示パネル１１２は、制御部１２１の制御の下、表示制御部１５３により制御されて表示を行う。操作パネル１１１は、ユーザにより操作ボタンや表示パネル１１２へなされる操作入力を受け付ける。操作パネル１１１は、操作ボタンや表示パネル１１２がユーザにより操作されると、その操作に応じた操作信号又は所定のコマンドを制御部１２１に送信する。すなわち、ユーザは、操作ボタンや表示パネル１１２に操作を行うことにより、画像形成装置１０１に種々の動作を実行させることができる。
【００５９】
図３は、画像形成システム９０１の各装置の制御ブロックを示すブロック図である。
【００６０】
図３に示されるように、画像形成装置１０１は、制御部１２１のほか、データ管理部１５１、表示制御部１５３、メイン・サブフラグ１５５（以下、単にフラグ１５５ということがある）、及び記憶エリア１６１などを有している。これらの各部は、制御部１２１と通信し、制御部１２１による制御の下で動作する。
【００６１】
制御部１２１は、例えば、ＣＰＵ，ＲＯＭ，ＲＡＭなどで構成されている。
【００６２】
記憶エリア１６１は、例えば、ＨＤＤである。記憶エリア１６１には、制御部１２１などで実行される制御プログラム１６５が設けられている。本実施の形態においては、制御部１２１により制御プログラム１６５が実行されることにより、データ管理部１５１や表示制御部１５３などが機能する。
【００６３】
データ管理部１５１は、画像形成装置１０１で用いられる種々のデータを管理する。データ管理部１５１は、例えば、予めユーザにより登録されたファクシミリ送信の送信先情報（ファクシミリ番号など）などをデータベースとして管理する。データの管理は、例えば、記憶エリア１６１に情報を記憶させつつ行われればよい。
【００６４】
このような送信先情報は、例えば、画像形成装置１０１が有するファクシミリ送信機能や、メール送信機能などの情報送信機能で用いられる。メール送信機能では、例えば、スキャナ部１４１により読み取られた画像を電子メールに添付して送信するＳｃａｎ  ｔｏ  Ｅｍａｉｌ機能などで用いられる。
【００６５】
表示制御部１５３は、制御部１２１の制御に基づき、表示パネル１１２の表示内容を制御する。
【００６６】
フラグ１５５は、後述のように、画像形成システム９０１において画像形成装置１０１が主の装置として動作するか従の装置として動作するかを設定するために用いられる。
【００６７】
なお、画像形成装置１０１は、ユーザ認証機能を有している。ユーザ認証は、画像形成装置１０１を利用するユーザを識別し、認証するジョブである。ユーザは、ユーザ認証による認証を経て、画像形成装置１０１にログインし、画像形成装置１０１を利用することができる。
【００６８】
ユーザ認証では、例えば記憶エリア１６１に記憶されている認証データベース（図示せず）が用いられる。認証データベースには、ユーザ認証可能なユーザの情報とそのユーザの認証に必要な認証情報とが対応付けられて記録されている。認証情報は、例えばユーザ毎に設定されたパスワードである。認証データベースには、各ユーザについて実行を許可する機能に関する情報が、そのユーザに対応付けて記録されている。
【００６９】
ユーザ認証は、例えば、次に示すようにして行われる。すなわち、まず、ユーザに、ユーザ認証画面が提示される。ユーザ認証画面は、表示パネル１１２に表示される。ユーザは、操作パネル１１１を操作し、画像形成装置１０１にそのユーザの情報（例えば、アカウント名など）とパスワードとを入力する。操作パネル１１１にこれらの情報が入力されると、制御部１２１は、認証データベースを参照し、入力されたデータに基づいて、そのユーザの認証可否を判断する。認証可能であれば、制御部１２１は、そのユーザについて認証成立とし、認証が成立した認証ユーザについて実行を許可されている機能を実行可能とする。このとき、認証ユーザは画像形成装置１０１にログインした状態になる。これにより、画像形成装置１０１は、画像形成装置１０１を用いるユーザを識別できる。
【００７０】
ユーザ認証を行ってユーザを識別することで、表示パネル１１２の表示や利用可能な機能などを認証されたユーザに適合するものにして、画像形成装置１０１の利便性を高められる。また、認証されたユーザが画像形成装置１０１の近くにいるときに、他のユーザの目に触れないようにして印刷物を出力できるなど、高いセキュリティ効果が得られる。
【００７１】
画像形成装置１０１において、制御部１２１は、ユーザ認証により識別したユーザに応じて、画像形成装置１０１の機能についてのユーザの使用権限を管理する。使用権限の管理が行われることで、ユーザ毎に、所定の機能の使用を制限することができ、高いセキュリティ効果が得られる。
【００７２】
なお、ユーザ認証の方式は上記に限られるものではなく、公知の方法を適宜採用することができる。認証情報の参照先や認証を行う主体などは、上記のものとは異なっていてもよい。例えば、画像形成装置１０１自身がユーザ認証を行うための認証情報を保有しており、画像形成装置１０１がユーザからの認証要求を受け付けて、認証情報に基づいて、そのユーザを認証してもよい。また、ユーザにアカウント名などの情報やパスワードの入力を要求しないようにしてもよい。すなわち、例えば、接触式・非接触式のＩＤカードを用いたカード認証方式や、ユーザの指紋情報や静脈情報などを利用した生体認証方式などを採用することができる。認証データベースは、画像形成システム９０１を構成するサーバ（図示せず）などで管理されていてもよい。
【００７３】
ここで、本実施の形態において、画像形成装置１０１は、ウェブ閲覧機能を有している。ウェブ閲覧機能では、制御部１２１が所定の制御プログラム１６５を実行し、ウェブブラウザを動作させる。ウェブブラウザは、指定されたウェブサーバからウェブページの情報を取得し、ウェブページを表示パネル１１２に表示させる。これにより、ユーザは、表示パネル１１２に表示されたウェブページを閲覧できる。
【００７４】
［携帯端末２０１の構成］
【００７５】
携帯端末２０１は、例えばいわゆるタブレット型端末である。携帯端末２０１は、スマートフォン（多機能型携帯電話機）であってもよい。図１に示すように、携帯端末２０１は、表示パネル（表示装置の一例、検出手段の一例）２１２を有している。表示パネル２１２は、例えばタッチパネルである。ユーザは、表示パネル２１２に表示される表示に基づいて、表示パネル１１２をタッチ操作することで、種々の機能を実行させることができる。
【００７６】
例えば、携帯端末２０１は、電子メール送信機能（情報送信機能の一例）や、電話機能を有している。携帯端末２０１は、事前に実行可能に設定されたアプリケーションプログラム（単にアプリということがある。）を実行可能である。種々の動作を行うアプリを実行させることで、携帯端末２０１を多様な用途に利用可能である。
【００７７】
図３を参照して、携帯端末２０１は、ファイル制御部２２１と、撮影部（撮像手段の一例）２５１と、表示制御部２５３と、メイン・サブフラグ２５５（以下、フラグ２５５ということがある）と、記憶エリア２６１とを備えている。
【００７８】
ファイル制御部２２１は、撮影部２５１、表示制御部２５３、フラグ２５５、及び記憶エリア２６１の各部に接続されている。ファイル制御部２２１は、制御部１２１と同様に、ＣＰＵ，ＲＯＭ，ＲＡＭなどを有しており、携帯端末２０１の動作を制御する。
【００７９】
記憶エリア２６１は、例えば、いわゆるフラッシュメモリである。記憶エリア２６１には、アドレスブックが記憶されている。すなわち、記憶エリア２６１には、携帯端末２０１で情報の送信先として用いられる電子メールアドレスや電話番号などの情報が整理されて記憶されている。
【００８０】
また、記憶エリア２６１には、ファイル制御部２２１などで実行される制御プログラム２６５が設けられている。本実施の形態においては、ファイル制御部２２１により制御プログラム２６５が実行されることにより、表示制御部２５３などが機能する。
【００８１】
表示制御部２５３は、ファイル制御部２２１の制御に基づき、表示パネル２１２の表示内容を制御する。フラグ２５５は、後述のように、画像形成システム９０１において携帯端末２０１が主の装置として動作するか従の装置として動作するかを設定するために用いられる。
【００８２】
撮影部２５１は、撮像素子を有している。すなわち、携帯端末２０１は、カメラ付きのものであり、周囲の様子を撮像可能である。なお、撮影部２５１は、静止画のみを撮像可能であってもよいし、静止画に加えて動画を撮像可能であってもよい。撮影部２５１は、ファイル制御部２２１による制御に基づいて、ユーザの操作などに応じて動作する。
【００８３】
本実施の形態において、携帯端末２０１は、ウェブ閲覧機能や動画再生機能など、種々の機能を有している。例えばウェブ閲覧機能では、ファイル制御部２２１が所定の制御プログラム２６５を実行し、ウェブブラウザを動作させる。ウェブブラウザは、指定されたウェブサーバからウェブページの情報を取得し、ウェブページを表示パネル２１２に表示させる。これにより、ユーザは、表示パネル２１２に表示されたウェブページを閲覧できる。
【００８４】
［連携動作の説明］
【００８５】
画像形成システム９０１において、画像形成装置１０１と携帯端末２０１とは、画像形成装置１０１による制御に基づいて、連携動作を行うことができる。以下、連携動作について説明する。
【００８６】
連携動作では、画像形成装置１０１と携帯端末２０１とが互いに通信することで、各装置の表示パネル１１２，２１２に互いに関連する操作用画像などが表示される。これにより、ユーザは、画像形成装置１０１の表示パネル１１２と携帯端末２０１の表示パネル２１２との両方を用いて、便利に所望の機能を利用できる。例えば、ユーザは、画像形成装置１０１の機能を用いるとき、携帯端末２０１の表示パネル２１２に、その機能に関連する情報を表示させて、表示パネル２１２をリモートパネルとして用いることができる。
【００８７】
なお、画像形成装置１０１と携帯端末２０１との連携は、例えば、携帯端末２０１の撮影部２５１で画像形成装置１０１を撮像することなどにより開始させることができる。すなわち、画像形成装置１０１には、携帯端末２０１が撮影部２５１で撮像することにより認識できるように予め調整された識別標識が付されている。携帯端末２０１が識別標識を撮像することにより、携帯端末２０１は、その画像形成装置１０１を連携相手として認識できる。これにより、携帯端末２０１と画像形成装置１０１とが、ネットワーク８０１を介して、お互いに連携可能となる。なお、識別標識としては、機種名などの特定の文字であったり、バーコードなどの図形であったりすればよい。ＡＲ（Ａｒｇｕｍｅｎｔｅｄ  Ｒｅａｌｉｔｙ）技術を用いて、携帯端末２０１により撮像している撮像画像とそれに基づき表示される画像とを組み合わせて携帯端末２０１に表示させ、ユーザが、その表示結果に基づいて適当な操作を行うことで、容易に特定の携帯端末２０１と画像形成装置１０１とを組み合わせて、互いに通信可能に接続させることができる。
【００８８】
［主従設定に関する動作の説明］
【００８９】
本実施の形態においては、このように連携動作が行われる場合において、画像形成装置１０１の表示パネル１１２と携帯端末２０１の表示パネル２１２とのどちらをメインのディスプレイとし、どちらをサブのディスプレイとするかが、自動的に切り替えられる。換言すると、画像形成装置１０１と携帯端末２０１とのどちらが「主」の装置となり、どちらが「従」の装置となるか、が自動的に切り替えられる。ユーザが主として操作入力を行ったり、取り扱ったりしている側が主の装置として設定される。例えば、印刷を行う場合、印刷指示が入力される方が、「主」となる。
【００９０】
そして、表示パネル１１２，２１２のそれぞれの表示内容が、画像形成装置１０１が主の装置となるか携帯端末２０１が主の装置となるかに応じて切り替えられる。これにより、各表示パネル１１２，２１２に主と従との関係を反映した表示を行った状態で、画像形成装置１０１と携帯端末２０１とを連携させて便利に使用することができるようになる。すなわち、画像形成装置１０１と携帯端末２０１との表示パネル１１２，２１２の表示の主従を動的に切り替えることで、ユーザの操作性を改善できる。
【００９１】
図４は、第１の実施の形態において連携動作が行われるときの画像形成システム９０１の動作を説明するフローチャートである。図５は、主従設定処理及び宛先表示処理の動作を説明するフローチャートである。
【００９２】
図４及び図５に示されるような画像形成システム９０１の動作において、連携管理装置としての画像形成装置１０１は、例えば、制御部１２１が制御プログラム１６５を実行することにより制御に基づいて動作する。以下の処理は、情報送信機能を実行させるためのユーザによる操作が行われた場合において行われる。
【００９３】
図４に示されるように、ステップＳ１０１において、制御部１２１は、携帯端末２０１がリモートパネルとして画像形成装置（ＭＦＰ）と連携しているか否かを判断する。連携している場合は、ステップＳ１０２の処理へと進む。
【００９４】
ステップＳ１０２において、制御部１２１は、画像形成装置１０１でファクシミリ送信操作、又はスキャン操作が行われたことを検出する。このような操作は、例えば、操作パネル１１１を介して行われる。
【００９５】
ステップＳ１０３において、制御部１２１は、主従設定処理及び宛先表示処理を行う。この処理については、図５を参照して説明する。
【００９６】
図５に示されるように、ステップＳ１３１において、制御部１２１は、ステップＳ１０２の処理が行われた後、画像形成装置１０１側の表示パネル１１２が操作されたか否かを判断する。
【００９７】
ステップＳ１３１で表示パネル１１２が操作されたときには、ステップＳ１３２〜Ｓ１３４の処理が行われる。
【００９８】
すなわち、ステップＳ１３２において、制御部１２１は、画像形成装置１０１を主の装置であるとしてフラグ１５５の設定を行う（メインフラグを立てる）。他方、制御部１２１は、携帯端末２０１を従の装置であるとして、フラグ２５５の設定を携帯端末２０１に求める。これにより、携帯端末２０１において、ファイル制御部２２１は、携帯端末２０１を従の装置であるとしてフラグ２５５の設定を行う（サブフラグを立てる）。これにより、フラグ１５５は、主の装置であることを示すものとなり、フラグ２５５は、従の装置であることを示すものとなる。画像形成装置１０１や携帯端末２０１は、フラグ１５５やフラグ２５５を見ることで、画像形成装置１０１が主の装置であり、携帯端末２０１が従の装置であることを判別できる。
【００９９】
ステップＳ１３３において、制御部１２１は、画像形成装置１０１に登録されている送信先の選択を受け付ける画面を、主の装置である画像形成装置１０１の表示パネル１１２に表示する。表示は、制御部１２１が表示制御部１５３を制御することにより行われる。
【０１００】
ステップＳ１３４において、制御部１２１は、携帯端末２０１に従の装置としての表示を実行させる。このとき、ファイル制御部２２１は、携帯端末２０１に登録されている送信先であって、画像形成装置１０１に登録されていないものを表示させる。表示は、ファイル制御部２２１が表示制御部２５３を制御することにより行われる。
【０１０１】
これに対し、ステップＳ１３１で操作パネル１１１が操作されなかったときには、ステップＳ１３５〜Ｓ１３７の処理が行われる。
【０１０２】
すなわち、ステップＳ１３５において、制御部１２１は、携帯端末２０１を主の装置であるとして、フラグ２５５の設定を携帯端末２０１に求める。これにより、携帯端末２０１において、ファイル制御部２２１は、携帯端末２０１を主の装置であるとしてフラグ２５５の設定を行う（メインフラグを立てる）。他方、制御部１２１は、画像形成装置１０１を従の装置であるとしてフラグ１５５の設定を行う（サブフラグを立てる）。これにより、フラグ１５５は、主の装置であることを示すものとなり、フラグ２５５は、従の装置であることを示すものとなる。画像形成装置１０１や携帯端末２０１は、フラグ１５５やフラグ２５５を見ることで、画像形成装置１０１が従の装置であり、携帯端末２０１が主の装置であることを判別できる。
【０１０３】
ステップＳ１３６において、制御部１２１は、携帯端末２０１に主の装置としての表示を実行させる。ファイル制御部２２１は、携帯端末２０１に登録されている送信先を、表示パネル２１２に表示する。表示は、ファイル制御部２２１が表示制御部２５３を制御することにより行われる。
【０１０４】
ステップＳ１３７において、制御部１２１は、主の装置としての表示を実行させる。このとき、制御部１２１は、画像形成装置１０１に登録されている送信先であって、携帯端末２０１に登録されていないものを表示させる。表示は、制御部１２１が表示制御部１５３を制御することにより行われる。
【０１０５】
ステップＳ１３４の処理又はステップＳ１３７の処理が終わると、主従設定処理及び宛先表示処理が終了し、図４のフローチャートに戻る。
【０１０６】
主従設定処理及び宛先表示処理が終了すると、ステップＳ１０４において、主の装置は、従の装置で送信先が選択されたか否かを判別する。従の装置で送信先が選択されないとき、すなわち主の装置で送信先が選択されたときには、ステップＳ１０６に進む。従の装置で送信先が選択されたときには、ステップＳ１０５の処理を経て、ステップＳ１０６に進む。
【０１０７】
従の装置で送信先が判別された場合には、ステップＳ１０５において、主の装置は、選択された送信先に関する送信先情報のみを従の装置から主の装置にコピーさせる。このとき送信される情報は、例えば、ファクシミリ番号や、電子メールアドレスなどである。なお、主の装置は、従の装置の送信先情報のすべてを主の装置にコピーさせてもよい。
【０１０８】
ステップＳ１０６において、主の装置は、ユーザによる選択操作に応じて、送信先を設定する。そして、設定した送信先に、ステップＳ１０２で行われた操作に応じて、情報の送信等を行う。このとき、行う処理についての設定を主の装置側で表示させてもよい。例えば、ファクシミリ送信機能やスキャンした画像を電子メールで送信するＳｃａｎ  ｔｏ  Ｅｍａｉｌ機能が画像形成装置１０１で行うときには、その解像度やサイズ、倍率などを表示パネル１１２を用いて設定できるようにすればよい。
【０１０９】
情報の送信が完了すると、一連の動作が終了する。
【０１１０】
このように、本実施の形態では、ユーザにより行われた操作を検出し、その操作の内容に応じて、画像形成装置１０１及び携帯端末２０１のうちその操作が行われた装置を主の装置として他方を従の装置とすることにより、ユーザは、直感的にかつ容易に、主として操作している装置を主の装置として操作を行うことができる。例えば、画像形成装置１０１においてメール送信機能（Ｓｃａｎ  ｔｏ  Ｅｍａｉｌ機能など）を実行するとき、携帯端末２０１に記憶されている電子メールアドレス情報を用いて、送信先を決定できる。また、画像形成装置１０１においてファクシミリ送信機能を実行するときには、画像形成装置１０１の表示パネルを用いて、携帯端末２０１の表示パネルを補助的に用いながら、操作等を行うことができる。主の装置と従の装置とで表示内容を動的に切り替えることができるので、ユーザの操作性を向上させ、ユーザが快適に画像形成システム９０１を利用できるようになる。
【０１１１】
従の装置から選択された送信先情報のみを主の装置に転送することで、すべての情報を送信し主の装置で保持させる場合と比較して、ネットワーク８０１の負荷や主の装置での記憶領域の使用量（メモリの使用量）を少なくすることができる。
【０１１２】
ここで、ステップＳ１０７において、従の装置で送信先が選択されている場合において、主の装置は、従の装置で選択された送信先に関する情報を、主の装置に登録するようにしてもよい。
【０１１３】
図６は、図４の処理が完了した場合に行われる処理の一例を示す。
【０１１４】
図６に示される処理は、図４のステップＳ１０７において従の装置で送信先が選択された場合にのみ行われるようにすればよい。
【０１１５】
すなわち、図６に示されるように、ステップＳ１１１において、主の装置は、従の装置で選択された送信先に関する情報を、主の装置に登録するか否かを判断する。この判断は、例えば、表示パネル１１２，２１２のうち主の装置のものに、登録するか否かをユーザに選択させるための選択画面を表示させた上で受け付けた、ユーザによる選択操作に基づいて行われる。
【０１１６】
ステップＳ１１１で登録すると判断されたときには、ステップＳ１１２において、主の装置は、従の装置からコピーした送信先を主の装置に登録する。
【０１１７】
他方、ステップＳ１１１で登録しないと判断されたときには、ステップＳ１１３において、主の装置は、従の装置からコピーした送信先を破棄する。
【０１１８】
このように従の装置で選択された送信先の情報が主の装置に登録されることで、以後同じ送信先に情報の送信を行うときに、主の装置に記憶されている情報にのみ基づいてこれを行うことができる。換言すると、主の装置に従の装置を連携させることなく、主の装置単独で、その送信先に情報の送信を行うことができる。
【０１１９】
また、情報を主の装置に登録するかどうかを選択できるので、主の装置に所望の情報のみを登録させた状態を保つことができ、便利である。
【０１２０】
なお、図４におけるステップＳ１０３の主従設定処理及び宛先表示処理では、画像形成装置１０１か携帯端末２０１のいずれか一方にのみ設けられている機能を実行させるための操作が行われたか否かに応じて、主従の判断が行われるようにしてもよい。
【０１２１】
図７は、主従設定処理及び宛先表示処理の動作の一変型例を説明するフローチャートである。
【０１２２】
図７では、例えば、携帯端末２０１にはなく、画像形成装置１０１でのみ行うことができるファクシミリ送信機能を行うための操作が行われたかどうかに基づいて、主従の設定が行われる場合の処理例が示されている。
【０１２３】
すなわち、ステップＳ１５１において、制御部１２１は、ファクシミリ送信を行うための操作が操作パネル１１１で受け付けられたか否かを判断する。
【０１２４】
ステップＳ１５１でファクシミリ送信に対応する操作が行われたときには、画像形成装置１０１を主の装置とするステップＳ１５２〜ステップＳ１５４の処理が行われる。ステップＳ１５２〜Ｓ１５４の処理は、それぞれ、図５のステップＳ１３２〜Ｓ１３４の処理と同一であるため、説明を省略する。
【０１２５】
他方、ステップＳ１５１でファクシミリ送信に対応する操作が行われないときには、携帯端末２０１を主の装置とするステップＳ１５５〜ステップＳ１５７の処理が行われる。ステップＳ１５５〜Ｓ１５７の処理は、それぞれ、図５のステップＳ１３５〜Ｓ１３７の処理と同一であるため、説明を省略する。
【０１２６】
このように実行対象となる機能に応じて主従の設定が行われることでも、上述と同様の効果が得られる。すなわち、ユーザは、直感的にかつ容易に、主として操作している装置を主の装置として操作を行うことができ、快適に画像形成システム９０１を利用できるようになる。
【０１２７】
［第２の実施の形態］
【０１２８】
第２の実施の形態における画像形成システムの基本的な構成は、第１の実施の形態におけるそれと同じであるためここでの説明を繰り返さない。第２の実施の形態においては、画像形成装置１０１が主の装置であって画像形成装置１０１でユーザの操作に基づく機能を実行中である場合において、主の装置で優先度の高い所定のジョブが投入されると、必要に応じて従の装置である携帯端末２０１を用いて、上記実行中の機能を行う。これにより、画像形成システム９０１において、効率的に複数の動作を実行できる。
【０１２９】
図８は、第２の実施の形態において連携動作が行われるときの画像形成システム９０１の動作を説明するフローチャートである。図９は、ウェブ接続・表示処理の動作を説明するフローチャートである。
【０１３０】
図８及び図９に示されるような画像形成システム９０１の動作において、連携管理装置としての画像形成装置１０１は、例えば、制御部１２１が制御プログラム１６５を実行することにより制御に基づいて動作する。
【０１３１】
図９に示されるように、ステップＳ２０１において、制御部１２１は、携帯端末２０１がリモートパネルとして画像形成装置と連携しているか否かを判断する。連携している場合は、ステップＳ２０２の処理へと進む。
【０１３２】
ステップＳ２０２において、制御部１２１は、画像形成装置１０１でウェブアクセス操作が行われたことを検知する。ウェブアクセス操作は、画像形成装置１０１でウェブ閲覧機能を実行させるための操作である。
【０１３３】
ステップＳ２０３において、制御部１２１は、画像形成装置１０１が主の装置となり、携帯端末２０１が従の装置となるように、制御する。これにより、画像形成装置１０１でメインフラグが立てられ、携帯端末２０１でサブフラグが立てられる。
【０１３４】
ステップＳ２０４において、ウェブ接続・表示処理が行われる。ウェブ接続・表示処理は、図９に示されるようにして行われる。
【０１３５】
ステップＳ２２１において、主の装置すなわち画像形成装置１０１では、制御部１２１が、実行中のジョブよりも優先度の高いジョブが他のユーザから投入されているか否かを判断する。そのようなジョブが投入されていなければ、ステップＳ２２６の処理に進む。ここで、制御部１２１は、ウェブ閲覧機能を実行させたユーザを、上述のユーザ認証機能により認識した上で、それとは異なるユーザからのジョブが投入されているか否かを判別してもよい。また、単に直接画像形成装置１０１を操作するのとは異なる方法で、例えば外部のパーソナルコンピュータ等からジョブが投入されているときに、他のユーザからジョブが投入されていると判定するようにしてもよい。また、ジョブの優先度は、例えば、そのジョブの種別毎に予め設定されていればよい。例えば、ファクシミリ送信機能やプリント機能を用いるジョブは、ウェブ閲覧機能を用いるジョブよりも優先度が高くなるように設定されていてもよい。
【０１３６】
ステップＳ２２１で優先度の高いＪＯＢがある場合には、ステップＳ２２２において、制御部１２１は、実行中の優先度の低いジョブに関する表示を従の装置すなわち携帯端末２０１の表示パネル２１２で実行させる。例えば、主の装置においてウェブ接続処理が行われていたり、ウェブ接続処理に伴う動画再生処理が行われていたりしたときには、それらのジョブが携帯端末２０１で実行され、表示パネル２１２に表示される。この処理は、制御部１２１がファイル制御部２２１と通信し、ファイル制御部２２１が画像形成装置１０１側で行われていた処理の続きを実行するように制御することにより、行われる。なお、ウェブ接続処理を伴わない、画像若しくは動画の閲覧処理などの、他種の優先度が比較的低いジョブが主の装置において行われていた場合であっても、これと同様にすればよい。
【０１３７】
これに伴い、制御部１２１は、優先度の高いジョブを画像形成装置１０１で実行させる。
【０１３８】
ステップＳ２２３において、制御部１２１は、優先度の高いジョブが終了するまで待機する。
【０１３９】
ステップＳ２２３において優先度の高いジョブが終了したら、ステップＳ２２４において、制御部１２１は、携帯端末２０１で実行されている処理を、元のように画像形成装置１０１で実行させるか否かを判断する。この判断は、例えば、携帯端末２０１又は画像形成装置１０１で選択画面を表示させてユーザの選択操作を受け付けることにより行われる。
【０１４０】
ステップＳ２２４で処理を元に戻すと判断した場合には、ステップＳ２２５において、制御部１２１は、携帯端末２０１で実行させている表示を画像形成装置１０１で行うように、表示を切り替えさせる。
【０１４１】
ステップＳ２２６において、制御部１２１は、主の装置で実行中のウェブ接続等の処理が終了したか否かを判断する。終了したと判断しない場合には、ステップＳ２２１の処理に戻る。終了したと判断した場合には、ウェブ接続・表示処理を終了する。
【０１４２】
他方、ステップＳ２２４で処理を元に戻さないと判断した場合には、ステップＳ２２７において、制御部１２１は、そのまま携帯端末２０１でウェブ接続等の処理を継続して実行させる。この場合、制御部１２１は、ウェブ接続・表示処理を終了する。
【０１４３】
このように、第２の実施の形態においては、主の装置である画像形成装置１０１で優先度が低いジョブが実行中であるときに、優先度が高いジョブが画像形成装置１０１に投入されると、優先度が低いジョブが自動的に従の装置である携帯端末２０１で実行される。これにより、実行中の優先度が低いジョブを継続して実行させた状態で、画像形成装置１０１で優先度が高いジョブを行うためのリソースを確実に確保し、そのジョブを画像形成装置１０１で実行させることができる。
【０１４４】
なお、主の装置で実行中の処理を従の装置で実行させるか否かは、ジョブの優先度に代えて、実行中の処理（ウェブ接続処理など）や投入されたジョブが実行時に画像形成装置１０１に与える負荷の大きさ（例えば、ＣＰＵ占有率など）に応じて判断するようにしてもよい。すなわち、比較的負荷が大きい、ウェブブラウザを用いるウェブ閲覧機能や動画再生処理を行っているときには、従の装置でそれを実行させるようにすることで、画像形成装置１０１において行われる処理の負荷を軽くできる。これにより、画像形成装置１０１のシステムパフォーマンスの低下を防止し、確実に、投入されたジョブが画像形成装置１０１で行われるようにすることができる。
【０１４５】
なお、このように従の装置で表示を行うようにした場合において、主の装置である画像形成装置１０１側で、ユーザによる入力操作を受け付けるようにしてもよい。例えば、主の装置で行っていたウェブ閲覧機能が従の装置で行われるように切り替えられたとき、画像形成装置１０１の操作パネル１１１ではＵＲＬの入力操作などのキー入力が受け付け可能であるようにしてもよい。この場合、受け付けられた操作の情報が画像形成装置１０１から携帯端末２０１に送られ、携帯端末２０１で、ブラウザ表示や動画表示が行われるようにすればよい。
【０１４６】
ここで、第１の実施の形態や第２の実施の形態において、いったん上述のように主従の設定が行われた後でも、繰り返して主従の設定が行われるようにしてもよい。
【０１４７】
すなわち、制御部１２１は、主の装置についての判定を行った後、ユーザによる操作が操作パネル１１１や表示パネル２１２により検出されたとき、画像形成装置１０１及び携帯端末２０１のうちその操作が行われた装置を主の装置として判定し直す。
【０１４８】
図１０は、主従設定の一例を説明するフローチャートである。
【０１４９】
図１０に示される処理は、継続して繰り返し行われればよい。
【０１５０】
ステップＳ１７１において、制御部１２１は、画像形成装置１０１が操作されたか否かを判断する。操作されていなければ、ステップＳ１７３に進む。
【０１５１】
ステップＳ１７１において画像形成装置１０１が操作されれば、ステップＳ１７２において、制御部１２１は、画像形成装置１０１が主の装置となり、携帯端末２０１が従の装置となるように、フラグ１５５，２５５の設定を行う。その後、ステップＳ１７３に進む。
【０１５２】
ステップＳ１７３において、制御部１２１は、携帯端末２０１が操作されたか否かを判断する。操作されていなければ、ステップＳ１７１に戻る。
【０１５３】
ステップＳ１７３で携帯端末２０１が操作されれば、ステップＳ１７４において、制御部１２１は、携帯端末２０１が主の装置となり、画像形成装置１０１が従の装置となるように、フラグ１５５，２５５の設定を行う。その後、ステップＳ１７１に戻る。
【０１５４】
このように主従設定が行われることで、随時主の装置と従の装置とを適切に設定できる。これに応じて連携中の表示パネル１１２，２１２の表示を切り替えることで、ユーザの利便性をより高めることができる。
【０１５５】
［第３の実施の形態］
【０１５６】
第３の実施の形態における画像形成システムの基本的な構成は、第１の実施の形態におけるそれと同じであるためここでの説明を繰り返さない。第３の実施の形態では、携帯端末２０１が主の装置である場合において、従の装置である画像形成装置１０１に印刷処理を実行（出力）させるとき、画像形成装置１０１で設定した設定内容に基づいて、出力が行われる。
【０１５７】
すなわち、一般に、携帯端末２０１で実行可能なアプリは、小さなサイズのプログラムであるので、出力時の詳細な設定などを行うことができない場合が多い。ここで出力時の詳細な設定とは、例えば、片面印刷を行うか、両面印刷を行うかどうかなどや、トナーの濃さなどの設定をいう。第３の実施の形態においては、携帯端末２０１を操作して画像形成装置１０１を用いた出力を行う場合であっても、画像形成装置１０１側の表示パネルを利用して、このような細かな設定項目の設定を行うことができる。
【０１５８】
図１１は、本発明の第３の実施の形態において連携動作が行われるときの画像形成システム９０１の動作を説明するフローチャートである。図１２は、連携時処理の動作の一例を説明するフローチャートである。
【０１５９】
図１１に示されるように、ステップＳ３０１において、携帯端末２０１のアプリが開かれる（起動が開始される）。アプリとしては、種々のものが用いられるが、例えば、文書を閲覧可能に表示パネル２１２に表示するためのアプリや、写真を表示パネル２１２に表示するためのアプリなどがある。
【０１６０】
ステップＳ３０２において、制御部１２１は、画像形成装置１０１と携帯端末２０１とが連携しているか否かを確認する。携帯端末２０１は、確認された結果を知ることができる。
【０１６１】
ステップＳ３０２で連携していなければ、ステップＳ３０３において、携帯端末２０１は、起動が開始されたアプリで、通常動作を実行させる。すなわち、この場合、携帯端末２０１は、情報の出力のために画像形成装置１０１を用いることはできない。
【０１６２】
他方、ステップＳ３０２で連携していれば、ステップＳ３０４において、連携時処理が行われる。連携時処理については、図１２に示されている。
【０１６３】
図１２を参照して、連携時処理が開始されたとえき、ステップＳ３２１において、主の装置すなわち携帯端末２０１で、画像形成装置１０１を用いて出力を行うための操作（印刷操作）が行われる。これにより、携帯端末２０１から画像形成装置１０１に、出力を行う旨の指示が送られる。
【０１６４】
ステップＳ３２２において、従の装置すなわち画像形成装置１０１において、表示パネル１１２には、出力を行うための詳細な印刷設定（印刷条件）を設定するための画面（印刷設定画面、従画面の一例）が表示される。このとき表示される画面は、携帯端末２０１からの指示に基づいて行われる処理についての補助的な事項を設定するための従画面といえる。従画面は、アプリで選択したデータの出力機器すなわち画像形成装置１０１に対応する印刷条件を設定できるような画面である。ユーザは、従画面を通して、画質や仕上げなどの設定を行うことができる。
【０１６５】
ステップＳ３２３において、制御部１２１は、画像形成装置１０１で表示された従画面を用いた印刷設定が完了したか否かを検知する。印刷設定が完了すると、ステップＳ３２４の処理に進む。
【０１６６】
ステップＳ３２４において、携帯端末２０１で印刷を実行させる操作が行われる。これにより、携帯端末２０１から画像形成装置１０１に、出力を行う旨の指示と共に、印刷対象となる、アプリで取り扱っている情報（例えば、画像データなど）が送信される。
【０１６７】
ステップＳ３２５において、画像形成装置１０１は、携帯端末２０１から送られた情報を受信する。制御部１２１は、印刷を実行させるに当たって、ステップＳ３２３で設定された印刷設定（印刷条件）を反映した上で、印刷を開始させる。これにより、画像形成部１３１により、印刷が実行される。
【０１６８】
ここで、このように画像形成装置１０１側で印刷条件が設定されている場合において、携帯端末２０１のアプリ側でも予め印刷条件が設定されている場合がありうる。このような場合において、両者の印刷条件の一部同士又は全部同士が競合するときには、実際に出力を行う画像形成装置１０１側で設定されている印刷条件が優先して適用される。例えば、携帯端末２０１側でＡ２サイズの用紙に印刷する旨の印刷条件が設定されており、画像形成装置１０１側ではＡ４サイズの用紙に印刷する旨の印刷条件が設定されている場合には、Ａ４サイズの用紙に印刷が行われる。このような制御が行われることにより、実際の画像形成装置１０１の状況に適合した印刷条件に基づいて、適正に出力を行うことができる。
【０１６９】
第３の実施の形態においては、画像形成装置１０１で設定された印刷条件を携帯端末２０１に保存し、次回以降同様の条件で印刷を行うとき、これを容易に設定できるようにすることができる。すなわち、アプリ側で、画像形成装置１０１と連携したワークフローを設定でき、そのワークフローには、印刷条件を記憶させることができる。ワークフローを選択することで、以降の出力時に、容易に印刷条件等の設定を行うことができる。
【０１７０】
すなわち、ステップＳ３２５において印刷が行われると、ステップＳ３２６において、制御部１２１は、画像形成装置１０１で設定された印刷条件を保存するか否かを決定する。この決定は、例えば、ユーザの意思に応じて行われるようにすればよい。例えば、画像形成装置１０１及び携帯端末２０１の表示パネル１１２，２１２のうち少なくともいずれか一方に、ユーザに選択させる画面を表示させる。そして、ユーザの選択を受け付けることで、保存するか否かを決定することができる。
【０１７１】
ステップＳ３２６で印刷条件を保存することが決定されると、ステップＳ３２７において、制御部１２１は、携帯端末２０１でそのときの印刷条件が保存されるように制御を行う。例えば、制御部１２１は、印刷条件の内容を、携帯端末２０１に送信する。携帯端末２０１では、ファイル制御部２２１が、送信された印刷条件を、別の機会に読み出し可能となるようにして保存する。
【０１７２】
ステップＳ３２６で印刷条件を保存しないと決定されたとき、又はステップＳ３２７の処理が終了したとき、連携時処理の一連の動作が終了する。
【０１７３】
このように、第３の実施の形態においては、主の装置である携帯端末２０１と連携して動作する従の装置すなわち画像形成装置１０１を用いて、携帯端末２０１を単体で用いたときには適用できないような印刷条件を適用させて、出力を行うことができる。例えば、携帯端末２０１単体では両面印刷やいわゆる「Ｎ  ｉｎ  １」印刷などを行うことを指示できない場合であっても、画像形成装置１０１側でこれを設定し、出力態様に反映させることができる。したがって、ユーザにとってより思い通りの態様で、アプリで取り扱っている情報について出力することができる。
【０１７４】
また、一般に、画像形成装置１０１では、その機種の別により、設定可能な印刷条件の内容が異なる場合がある。このような場合であっても、画像形成装置１０１で印刷条件を設定するための従画面を表示させてそこで設定を行うことができるので、種々の画像形成装置１０１について、常に適切に出力されるように設定することができる。携帯端末２０１の設定はそのままで、様々な画像形成装置１０１に対応可能である。
【０１７５】
なお、第３の実施の形態において、図１１のステップＳ３０４の連携時処理は、印刷条件を設定するものに限られない。例えば、携帯端末２０１が有する画像（例えば、写真、ドキュメント、又はウェブページなど）について画像形成装置１０１を用いて出力する場合において、画像形成装置１０１側で画像を表示パネル１１２で表示させながらその画像の編集操作を受け付け、携帯端末２０１からの指示に応じて、編集後の画像について出力が行われるようにしてもよい。
【０１７６】
図１３は、連携時処理の動作の別の例を説明するフローチャートである。
【０１７７】
図１３において、各処理は、図１２に含まれる処理に大まかに対応するものである。
【０１７８】
図１３に示されているように、連携時処理が行われると、ステップＳ３４１において、主の装置すなわち携帯端末２０１において、画像のプレビュー表示が行われる。
【０１７９】
ステップＳ３４２において、携帯端末２０１でプレビュー表示が行われると、従の装置すなわち画像形成装置１０１においても、画像のプレビュー表示が行われる。これにより、画像形成装置１０１の表示パネル１１２を用いて、ユーザは、画像の編集作業を行うことができるようになる。編集作業としては、画像の拡大・縮小・トリミングなどが挙げられる。その他、色彩や明るさ等の編集ができるように構成されていてもよい。ユーザは、表示パネル１１２に表示される従画面のプレビュー画像を確認しながら、画像が所望の状態になるまで、さらなる編集操作を行うことができる。プレビュー画像は、リアルタイムで編集操作が反映されたものになる。
【０１８０】
ステップＳ３４３において、制御部１２１は、画像形成装置１０１で表示された従画面を用いた編集作業が完了したか否かを検知する。編集作業が完了すると、ステップＳ３４４の処理に進む。
【０１８１】
ステップＳ３４４において、携帯端末２０１で印刷を実行させる操作が行われる。これにより、携帯端末２０１から画像形成装置１０１に、出力を行う旨の指示と共に、印刷対象となる、アプリで取り扱っている情報（例えば、画像データなど）が送信される。
【０１８２】
ステップＳ３４５において、画像形成装置１０１は、携帯端末２０１から送られた情報を受信する。制御部１２１は、印刷を実行させるに当たって、画像形成装置１０１で設定された印刷条件を反映した上で、印刷を開始させる。これにより、画像形成部１３１により、印刷が実行される。なお、このとき、印刷は、ステップＳ３４３において画像形成装置１０１側で行われた編集操作を反映させた画像について行われる。
【０１８３】
ここで、本変型例においては、画像形成装置１０１で編集された画像のデータを携帯端末２０１に保存し、その画像を次回以降の印刷に用いたり、印刷以外の用途に利用したりすることができる。編集後の画像のデータを携帯端末２０１で記憶することより、以降の出力時に、容易に同様の画像の印刷等を行うことができる。
【０１８４】
すなわち、ステップＳ３４５において印刷が行われると、ステップＳ３４６において、制御部１２１は、画像形成装置１０１で編集された画像を保存するか否かを決定する。この決定は、例えば、ユーザの意思に応じて行われるようにすればよい。例えば、画像形成装置１０１及び携帯端末２０１の表示パネル１１２，２１２のうち少なくともいずれか一方に、ユーザに選択させる画面を表示させる。そして、ユーザの選択を受け付けることで、保存するか否かを決定することができる。
【０１８５】
ステップＳ３４６で画像を保存することが決定されると、ステップＳ３４７において、制御部１２１は、携帯端末２０１で編集後の画像が保存されるように制御を行う。例えば、制御部１２１は、編集後の画像のデータを、携帯端末２０１に送信する。携帯端末２０１では、ファイル制御部２２１が、送信された画像のデータを保存する。
【０１８６】
ステップＳ３４６で画像を保存しないと決定されたとき、又はステップＳ３４７の処理が終了したとき、連携時処理の一連の動作が終了する。
【０１８７】
このように、従の装置となる画像形成装置１０１の表示パネル１１２で画像をプレビュー表示することで、ユーザは、容易に編集を行うことができる。特に、携帯端末２０１の表示パネル２１２が表示パネル１１２よりも小さい場合には、大きな表示パネル１１２で画像をプレビュー表示させることで、確実に編集を行うことができる。
【０１８８】
また、必要に応じて、画像形成装置１０１で編集した画像を記憶させることにより、編集後の画像を別の機会に印刷するのに用いたり、別の用途に用いたりするなど、広く利用できるようになる。編集後の画像を携帯端末２０１側で保存することで、出力機器に依存することなく、様々な機器で、同一の出力結果を得ることができる。
【０１８９】
［その他］
【０１９０】
なお、上述のように、画像形成システム９０１において、電子メール送信やファクシミリ送信など、さらには例えばＦＴＰ（ファイル転送プロトコル）送信やその他の通信プロトコルに基づく送信など、複数種類の送信方法で情報送信を実行可能である場合には、主従の設定を例えば次のように行ってもよい。
【０１９１】
すなわち、この場合には、連携管理装置として機能する画像形成装置１０１が、画像形成装置１０１又は携帯端末２０１に対して行われたユーザによる操作に対応する送信方法の別を検出する。そして、画像形成装置１０１は、検出された送信方法に基づいて、画像形成装置１０１及び携帯端末２０１のうち一方を主の装置とし、他方を従の装置として主従の設定を行う。例えば、ファクシミリ送信を伴う送信方法に対応するユーザの操作が検出されたとき、ファクシミリ送信機能を有する画像形成装置１０１を主の装置とする。他方、電子メール送信を伴う送信方法に対応するユーザの操作が検出されたとき、比較的に登録されている電子メールアドレスの数が多く電子メール送信を行いやすい装置である携帯端末２０１を、主の装置とする。
【０１９２】
このように主従の設定を行うことにより、行われる機能に即して適切と考えられる装置を主の装置として設定することができ、画像形成システム９０１を便利に利用できる。
【０１９３】
なお、このとき、画像形成装置１０１は、ユーザによる操作に対応する送信方法に関する送信先情報がより多く登録されている装置を主の装置として主従設定を行うようにしてもよい。これにより、送信対象となる情報を主の装置に登録されているものの中から取得できる確率を高くすることができ、従の装置と主の装置との間の送信先情報に関する通信が必要とされる回数を減らすことができる。
【０１９４】
携帯端末が連携管理装置として機能するように構成されていてもよい。画像形成装置と携帯端末とが協働して連携管理装置として機能していてもよい。すなわち、連携管理装置は、画像形成装置と携帯端末とのうち少なくともいずれか一方に内蔵されていればよい。いずれの場合であっても、連携管理装置として機能する装置が他方の装置を適切に制御することで、上述と同様の作用及び効果を得ることができる。
【０１９５】
また、画像形成システムにおいて、画像形成装置及び携帯端末とは別に、両者の連携動作を制御する連携管理装置として機能する装置が設けられていてもよい。このような場合であっても、画像形成装置と携帯端末とが連携管理装置による制御に基づいて一方が主の装置となり他方が従の装置となり、両者の表示パネルの表示内容を変更させることで、上述と同様の効果を得ることができる。
【０１９６】
画像形成装置としては、モノクロ／カラーの複写機、プリンタ、ファクシミリ装置やこれらの複合機（ＭＦＰ）などいずれであってもよい。画像形成装置は、電子写真方式により画像を形成するものに限られず、例えばいわゆるインクジェット方式により画像を形成するものであってもよい。
【０１９７】
画像形成装置のハードウェア構成は上述に限られるものではなく、画像処理が種々の制御回路により行われるようにしてもよい。
【０１９８】
また、画像形成システムは、画像形成装置と携帯端末とが連携するものに限られず、それぞれ表示装置を有する２以上の装置が連携するものであればよい。例えば、画像形成装置と画像形成装置とが互いに上述のように連携するように構成されていてもよい。
【０１９９】
上述の実施の形態における処理は、ソフトウェアによって行っても、ハードウェア回路を用いて行ってもよい。
【０２００】
上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。プログラムはインターネットなどの通信回線を介して、装置にダウンロードするようにしてもよい。上記のフローチャートで文章で説明された処理は、そのプログラムに従ってＣＰＵなどにより実行される。
【０２０１】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０２０２】
１０１  画像形成装置（情報処理装置の一例）
１１１  操作パネル
１１２  表示パネル（表示装置の一例）
１２１  制御部
１３１  画像形成部
１５３  表示制御部
１５５  メイン・サブフラグ
１６１  記憶エリア
１６５  制御プログラム
２０１  携帯端末
２１２  表示パネル（表示装置の一例）
２５１  撮影部（撮像手段の一例）
２５３  表示制御部
２５５  メイン・サブフラグ
２６１  記憶エリア
２６５  制御プログラム
８０１  ネットワーク
９０１  画像形成システム（情報処理システムの一例）
【図１】
2014045418.tif 000003
【図２】
2014045418.tif 000004
【図３】
2014045418.tif 000005
【図４】
2014045418.tif 000006
【図５】
2014045418.tif 000007
【図６】
2014045418.tif 000008
【図７】
2014045418.tif 000009
【図８】
2014045418.tif 000010
【図９】
2014045418.tif 000011
【図１０】
2014045418.tif 000012
【図１１】
2014045418.tif 000013
【図１２】
2014045418.tif 000014
【図１３】
2014045418.tif 000015